(57)【要約】      （修正有）【課題】ユーザの好み、又は文具の造形に合うことにより、台座と頂部部材との立体的形状を選択して利用可能であり、鉄製のプレートに紙などのシートを固定可能であり、ユーザが油断しても怪我しない造形マグネットを提供する。【解決手段】底部に嵌合凹み１１が設けられ、第１の立体的形状を有する台座１と、台座の上部に設けられ、第２の立体的形状を有する頂部部材２と、嵌合凹みに脱着可能に嵌合されている磁性部材３と、を含む。【選択図】図４
0003209456.tif 000002
【実用新案登録請求の範囲】
【請求項１】
その底部に嵌合凹みが設けられており、第１の立体的形状を有する台座と、
前記台座の上部に設けられており、第２の立体的形状を有する頂部部材と、
前記嵌合凹みに脱着可能に嵌合されている磁性部材と、
を含むことを特徴とする造形マグネット。
【請求項２】
前記台座の前記第１の立体的形状は、ヘッド部が切られたボーリングボトルの形状であり、前記頂部部材の前記第２の立体的形状は、半球の形状であることを特徴とする、請求項１に記載の造形マグネット。
【請求項３】
前記台座の前記第１の立体的形状は、円錐の頂部にユーフォーが結合されている形状であり、前記頂部部材の前記第２の立体的形状は、ボールの形状であることを特徴とする、請求項１に記載の造形マグネット。
【請求項４】
前記台座の前記第１の立体的形状は、ボーリングボトルの下半部の形状であり、前記頂部部材の前記第２の立体的形状は、ボールの表面が多数の平面に切られた形状であることを特徴とする、請求項１に記載の造形マグネット。
【請求項５】
前記台座の前記第１の立体的形状は、上部が徐々に縮径する円柱の形状であり、前記頂部部材の前記第２の立体的形状は、ハート型であることを特徴とする、請求項１に記載の造形マグネット。
【請求項６】
前記台座の前記第１の立体的形状は、上部が徐々に縮径する円柱の形状であり、前記頂部部材の前記第２の立体的形状は、バタフライの形状であることを特徴とする、請求項１に記載の造形マグネット。
【請求項７】
前記台座の前記第１の立体的形状は、植木鉢の形状であり、前記頂部部材の前記第２の立体的形状は、立方体である氷の形状であることを特徴とする、請求項１に記載の造形マグネット。
【考案の詳細な説明】
【技術分野】
【０００１】
本考案は、文具用品に関し、特に、造形マグネットに関するものである。
【背景技術】
【０００２】
科学技術の進展により、新製品がどんどん開発され、より便利で安全な製品を提供する。市販されている画鋲は二種類ある。一つは、金属で作製され、円形な金属片の中央に釘が設けられており、当該釘の先端が鋭い。軟性なプレートに当該釘を差し込むと、画鋲が一時に固定される。しかし、円形な金属片が軟性なプレートに密着するため、画鋲の取出しが容易ではない。そしてこのような画鋲が床面に落下すると、当該釘が上方に向く可能性が高いため、この状態にある画鋲を不意に踏み込むと、足が怪我する問題がある。
【０００３】
一方、もう一種類の画鋲は、ロッド状を呈するヘッド部の底面の中央に針が設けられている。ヘッド部は樹脂を採用する。針は金属を採用する。ヘッド部がロッド状を呈するため、ピックアップが容易であり、取外しも容易となる。しかし、この二種類の画鋲は、油断するとユーザが怪我しやすく、そして鉄製のプレートに利用できない問題がある。
【考案の概要】
【考案が解決しようとする課題】
【０００４】
本考案の主な目的は、ユーザの好み、又は文具の造形に合うことにより、台座と頂部部材との立体的形状を選択して利用可能であり、消費者の購買欲を上げ可能であり、磁性部材により、鉄製のプレート、又はホワイトボードに吸着して紙などのシートを固定可能であり、画鋲のように紙などのシートを破壊することがなくなり、ユーザが油断しても怪我しない造形マグネットを提供することにある。
【課題を解決するための手段】
【０００５】
本考案の造形マグネットによると、その底部に嵌合凹みが設けられており、第１の立体的形状を有する台座と、
台座の上部に設けられており、第２の立体的形状を有する頂部部材と、
嵌合凹みに脱着可能に嵌合されている磁性部材と、
を含むことを特徴とする。
【０００６】
本考案の造形マグネットによると、台座の第１の立体的形状は、ヘッド部が切られたボーリングボトルの形状であり、頂部部材の第２の立体的形状は、半球の形状であることを特徴とする。
【０００７】
本考案の造形マグネットによると、台座の第１の立体的形状は、円錐の頂部にユーフォーが結合されている形状であり、頂部部材の第２の立体的形状は、ボールの形状であることを特徴とする。
【０００８】
本考案の造形マグネットによると、台座の第１の立体的形状は、ボーリングボトルの下半部の形状であり、頂部部材の第２の立体的形状は、ボールの表面が多数の平面に切られた形状であることを特徴とする。
【０００９】
本考案の造形マグネットによると、台座の第１の立体的形状は、上部が徐々に縮径する円柱の形状であり、頂部部材の第２の立体的形状は、ハート型であることを特徴とする。
【００１０】
本考案の造形マグネットによると、台座の第１の立体的形状は、上部が徐々に縮径する円柱の形状であり、頂部部材の第２の立体的形状は、バタフライの形状であることを特徴とする。
【００１１】
本考案の造形マグネットによると、台座の第１の立体的形状は、植木鉢の形状であり、頂部部材の第２の立体的形状は、立方体である氷の形状であることを特徴とする。
【考案の効果】
【００１２】
本考案の造形マグネットによれば、ユーザの好み、又は文具の造形に合うことにより、台座と頂部部材との立体的形状を選択して利用可能であり、消費者の購買欲を上げ可能であり、磁性部材により、鉄製のプレート、又はホワイトボードに吸着して紙などのシートを固定可能であり、画鋲のように紙などのシートを破壊することがなくなり、ユーザが油断しても怪我しないという効果を有する。
【図面の簡単な説明】
【００１３】
【図１】本考案の第１の実施の形態に係る造形マグネットを示す斜視図である。
【図２】本考案の第１の実施の形態に係る造形マグネットを示す平面図である。
【図３】本考案の第１の実施の形態に係る造形マグネットに磁性部材が設けられていない状態を示す断面図である。
【図４】本考案の第１の実施の形態に係る造形マグネットに磁性部材が設けられている状態を示す断面図である。
【図５】本考案の第１の実施の形態に係る造形マグネットをホワイトボードに利用する状態を示す斜視図である。
【図６】本考案の第２の実施の形態に係る造形マグネットを示す斜視図である。
【図７】本考案の第２の実施の形態に係る造形マグネットを示す平面図である。
【図８】本考案の第３の実施の形態に係る造形マグネットを示す斜視図である。
【図９】本考案の第３の実施の形態に係る造形マグネットを示す平面図である。
【図１０】本考案の第４の実施の形態に係る造形マグネットを示す斜視図である。
【図１１】本考案の第４の実施の形態に係る造形マグネットを示す平面図である。
【図１２】本考案の第５の実施の形態に係る造形マグネットを示す斜視図である。
【図１３】本考案の第５の実施の形態に係る造形マグネットを示す平面図である。
【図１４】本考案の第６の実施の形態に係る造形マグネットを示す斜視図である。
【図１５】本考案の第６の実施の形態に係る造形マグネットを示す平面図である。
【考案を実施するための形態】
【００１４】
以下、本考案の実施の形態を図面に基づいて説明する。
【００１５】
図１から図１５を参照する。本考案に係る造形マグネット１００は、台座１と、頂部部材２と、磁性部材３と、を含む。
【００１６】
台座１は、その底部に嵌合凹み１１が設けられており、第１の立体的形状を有する。
【００１７】
頂部部材２は、台座１の上部に設けられており、第２の立体的形状を有する。
【００１８】
磁性部材３は、例えば磁石などであり、嵌合凹み１１に脱着可能に嵌合されている。
【００１９】
図５を参照する。造形マグネット１００は、ホワイトボード２００に吸着され可能である。これにより、紙３００やホワイトボード２００を破壊せず、造形マグネット１００とホワイトボード２００との間に、紙３００を固定可能である。
【００２０】
（第１の実施の形態）
図１から図４を参照する。台座１の第１の立体的形状は、ヘッド部が切られたボーリングボトルの形状である。頂部部材２の第２の立体的形状は、半球の形状である。
【００２１】
（第２の実施の形態）
図６及び図７を参照する。台座１の第１の立体的形状は、円錐の頂部にユーフォーが結合されている形状である。頂部部材２の第２の立体的形状は、ボールの形状である。
【００２２】
（第３の実施の形態）
図８及び図９を参照する。台座１の第１の立体的形状は、ボーリングボトルの下半部の形状である。頂部部材２の第２の立体的形状は、ボールの表面が多数の平面に切られた形状である。
【００２３】
（第４の実施の形態）
図１０及び図１１を参照する。台座１の第１の立体的形状は、上部が徐々に縮径する円柱の形状である。頂部部材２の第２の立体的形状は、ハート型である。
【００２４】
（第５の実施の形態）
図１２及び図１３を参照する。台座１の第１の立体的形状は、上部が徐々に縮径する円柱の形状である。頂部部材２の第２の立体的形状は、バタフライの形状である。
【００２５】
（第６の実施の形態）
図１４及び図１５を参照する。台座１の第１の立体的形状は、植木鉢の形状である。頂部部材２の第２の立体的形状は、立方体である氷の形状である。
【００２６】
上記の構成によれば、ユーザの好み、又は文具の造形に合うことにより、台座１と頂部部材２との立体的形状を選択して利用可能である。消費者の購買欲を上げ可能である。磁性部材３により、鉄製のプレート、又はホワイトボード２００に吸着されて紙３００を固定可能である。画鋲のように紙などのシートを破壊することがなくなる。そしてユーザが油断しても怪我しない。
【００２７】
上記では、種々の実施の形態および変形例を説明したが、本考案はこれらの内容に限定されるものではない。本考案の技術的思想の範囲内で考えられるその他の態様も本考案の範囲内に含まれる。
【産業上の利用可能性】
【００２８】
本考案は、マグネットに適用することができる。
【符号の説明】
【００２９】
１  台座
２  頂部部材
３  磁性部材
１１  嵌合凹み
１００  造形マグネット
２００  ホワイトボード
３００  紙
【図１】
0003209456.tif 000003
【図２】
0003209456.tif 000004
【図３】
0003209456.tif 000005
【図４】
0003209456.tif 000006
【図５】
0003209456.tif 000007
【図６】
0003209456.tif 000008
【図７】
0003209456.tif 000009
【図８】
0003209456.tif 000010
【図９】
0003209456.tif 000011
【図１０】
0003209456.tif 000012
【図１１】
0003209456.tif 000013
【図１２】
0003209456.tif 000014
【図１３】
0003209456.tif 000015
【図１４】
0003209456.tif 000016
【図１５】
0003209456.tif 000017